(57)【要約】      （修正有）【課題】ホルダ所定のリフィルよりも短いリフィルの装着を可能とし、使用者が好みのホルダに好みのリフィルを装着して使用できるようにしたボールペンのリフィルアダプターを提供する。【解決手段】リフィルアダプターは、ボールペンのホルダに装着されるリフィルの基端部に装着され、ホルダ所定のリフィルよりも短いリフィルを使用可能とするアダプターに関し、このアダプターは先端面にリフィルの基部側が装着される長孔２が開口し、ホルダ所定のリフィルよりも短いリフィルにアダプターを装着したときの長さが、ホルダ所定のリフィルの長さと同じになるようにして構成する。【選択図】図２
0003199627.tif 000002
【実用新案登録請求の範囲】
【請求項１】
ボールペンのホルダに装着されるリフィルの基端部に装着され、ホルダ所定のリフィルよりも短いリフィルを使用可能とするアダプターであって、
このアダプターは先端側にリフィルの基部側がに装着される長孔が設けられ、
ホルダ所定のリフィルよりも短いリフィルにアダプターを装着したときの長さが、ホルダ所定のリフィルの長さと同じになるようにした、
ボールペンのリフィルアダプター。
【請求項２】
アダプターの基端部には、ホルダに組み込まれたリフィル操作機構に対応する形状の係止部が設けられた、請求項１に記載のボールペンのリフィルアダプター。
【考案の詳細な説明】
【技術分野】
【０００１】
この考案は、ボールペンのホルダに、ホルダ所定のリフィル以外のリフィルを装着できるようにするためのリフィルアダプターに関するものである。
【背景技術】
【０００２】
ボールペンのホルダは、メーカーや製品ごとに異なる規格が採用されており、各ホルダに適合するリフィルは特定されていて、規格に合わない、特に長さの異なるリフィルを装着して使用することはできない。
特に、高級品とされるボールペンでは、需要者はホルダのデザインを重視して商品を選択する場合が多いところ、そこで使用されているインクの質やボールの仕様（太さなど）が好みに合わないこともある。また、所定のリフィルが特定の店舗でしか取り扱われておらず、購入しにくいこともある。
また、熱変色性インクを使用したボールペン（いわゆる「消せるボールペン」）において、複数のリフィルが装着された多色タイプのものを利用して、一部のリフィルを「消えないインク」に交換して使用したいというニーズもある。
そのために、ホルダに適合したリフィル（以下「ホルダ所定のリフィル」という。）と異なるリフィルを使用することへのニーズは高い。
しかしながら、そのための提案はなされていない。
【０００３】
一つのホルダに太さの異なるリフィルを装着可能とした提案として、特開２００３−９４８７８号の発明がある。この発明は、ホルダの基部に大径部と小径部とを設けたものである。この提案によれば、太さの異なるリフィルを装着することはできるが、装着できるリフィルの長さは特定されており、特定された長さよりも短いリフィルを装着することはできない。
【特許文献１】特開２００３−９４８７８号公報
【考案の概要】
【考案が解決しようとする課題】
【０００４】
この考案は、ホルダ所定のリフィルよりも短いリフィルの装着を可能とし、使用者が好みのホルダに好みのリフィルを装着して使用できるようにすることを課題とするものである。
【課題を解決するための手段】
【０００５】
この考案は、リフィルアダプターは、ボールペンのホルダに装着されるリフィルの基端部に装着され、ホルダ所定のリフィルよりも短いリフィルを使用可能とするアダプターによって上記課題を解決するものであり、このアダプターは先端側にリフィルの基部側が装着される長孔が開口し、ホルダ所定のリフィルよりも短いリフィルにアダプターを装着したときの長さが、ホルダ所定のリフィルの長さと同じになるようにして構成する。
前記アダプターの基端部には、必要により、ホルダに組み込まれたリフィル操作機構に対応する形状の係止部を設ける。
【考案の効果】
【０００６】
この考案によれば、ホルダ所定のリフィルよりも短い好みのリフィルの基部側を、それに対応した長さのリフィルアダプターの長穴に緊密に装着することで、ホルダ所定のリフィルと同じ長さとなり、これをホルダ所定のリフィルに代えてホルダに装着して使用することができる。したがって、好みのホルダに好みのリフィルを装着して使用することが可能となる。
請求項２の考案のように、アダプターの基部に係止部を設ければ、ホルダに備えられたリフィルの操作機構（回転により又はノックによりリフィルを進退させる機構）をそのまま使用することができる。
【図面の簡単な説明】
【０００７】
【図１】この考案実施例１の正面図。
【図２】同じく断面図。
【図３】ホルダ所定のリフィルと、異なるリフィルをアダプターに装着した状態との長さを比較する正面図。
【図４】ホルダの一例を示す分解正面図。
【図５】この考案実施例２の正面図
【考案を実施するための最良の形態】
【０００８】
以下この考案の実施例を説明する。
【実施例１】
【０００９】
リフィルアダプター１は、これを装着するホルダ１１の内腔形状に対応した略円柱形であって、先端側パーツ１ａ、基端側パーツ１ｂ、とゴムリング１ｃで構成してある。前記先端側パーツ１ａには全長に亘り、リフィル２１の基部（ボールと反対側）２２が装着される長孔２が設けてある。この長孔２は前記リフィル２１の基部側とほぼ等しい径径としてある。そして、前記先端側パーツ２ａの基端部には基端側パーツとの接合用凹部３が形成してあり、この凹部３にゴムリング１ｃが装着してある。このゴムリングにはリフィル２１よりもわずかに小さな径（０．５ミリ程度小さい）の孔４が形成してあり、リフィル２１の基端部が固定されるようにしてある。
前記先端側パーツ１ａの凹部内壁には雌ねじが、基端側パーツ１ｂの先端部には雄ねじが形成してあり、両パーツはねじで連結される。
前記リフィルホルダの長さ及び長孔２の深さは、長孔２に、使用しようとするリフィル２１を装着したときに、その長さがホルダ所定のリフィル１２の長さと一致するようにする。
前記リフィルアダプター１は、先端側パーツ１ａが樹脂製で、基端側パーツ１ｂが金属製である。そして、金属製とした基端側パーツ１ｂの端面にはホルダ１１のリフィルの操作機構（図４のホルダではノック式）と係止する突起５が設けてある。
図においてリフィルアダプター１の先端側に形成された段部６は、装着するホルダ１１の内腔形状に合わせたものである。
【００１０】
このリフィルアダプター１を使用する手順は以下の通りである。
リフィルアダプター１の長孔２に、使用しようとするリフィル１１の基部を挿入し、リフィル１１の基端をゴムリング１ｃの孔に挿入して固定する。この状態で、ホルダ所定のリフィル１２と長さが一致していることを確認する。
次いで、ホルダ１１に、ホルダ所定のリフィル１２に代えてリフィルアダプター１に装着されたリフィル２１を装着する。
この作業により、ホルダ所定のリフィル１２と異なるリフィル２１を、ホルダ１１で使用することができる。
【実施例２】
【００１１】
実施例２のリフィルアダプターは、ノック式の多色ボールペンで熱変色性インク（消せるインク）が使用されたものにおいて、リフィルの１本を「消えないインク」に変更して使用するためのものである。
【００１２】
リフィルアダプター１の先端側パーツ１ａにはリフィル２１の基端部が装着される長孔２が形成してあり、基端部４にはホルダ１１に備えられたノック機構のピン（図示しない）に挿入するための係止部としての長孔７が設けてある。
この実施例においては、先端側パーツ１ａと基端側パーツ１ｂは共に樹脂製であり、基端側パーツ１ｂの先端部は先端側パーツ１ａに圧入してあり、ゴムリングは用いていない。
【産業上の利用可能性】
【００１３】
この考案のリフィルアダプターを利用することにより、好みのホルダに好みのリフィルを装着して使用することができる。また「消えるインク」が使用された多色ボールペンの1本のリフィルを「消えないインク」のリフィルに交換して利用することができ、持ち歩くボールペンの数を減らすこともできる。
このような便宜を提供するものであり、産業上の利用可能性を有するものである。
【符号の説明】
【００１４】
１    リフィルアダプター
１ａ  先端側パーツ
１ｂ  基端側パーツ
１ｃ  ゴムリング  
２    長孔
３    凹部
４    孔
５    突起
６    段部
７    長孔
１１  ホルダ
１２  ホルダ所定のリフィル
２１  リフィル
２２  リフィルの基部
【図２】
0003199627.tif 000003
【図１】
0003199627.tif 000004
【図３】
0003199627.tif 000005
【図４】
0003199627.tif 000006
【図５】
0003199627.tif 000007